【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
複数のスイッチドキャパシタ電力増幅器セル（２００；４００；６００）を有するスイッチドキャパシタ電力増幅器であって、
前記各セルは、
第１の端子と第２の端子とを有する第１の差動コンデンサ（１１０；４１０；６１０）と、
第１の端子と第２の端子とを有する第２の差動コンデンサ（１２０；４２０；６２０）と、
前記第１の差動コンデンサ（１１０；４１０；６１０）の第１の端子に接続された第１の入力信号線（Ａｃｔ＿ｐ）と、
前記第２の差動コンデンサ（１２０；４２０；６２０）の第１の端子に接続された第２の入力信号線（Ａｃｔ＿ｎ）と、
第１及び第２のスイッチ（１３０，１４０；４３０，４４０；６３０，６３５，６４０，６４５）とを備え、
前記第１のスイッチ（１３０；４３０；６３０，６３５）は、第１の電源電圧（Ｖｄｄ；２Ｖｄｄ）に接続された第１の端子と、前記第１の入力信号線（Ａｃｔ＿ｐ）に接続された第２の端子とを有し、
前記第２のスイッチ（１４０；４４０；６４０，６４５）は、第２の電源電圧（Ｖｓｓ）に接続された第１の端子と、前記第１の入力信号線（Ａｃｔ＿ｐ）に接続された第２の端子とを有し、
前記各セルは、
第３及び第４のスイッチ（１５０，１６０；４５０，４６０；６５０，６５５，６６０，６６５）を備え、
前記第３のスイッチ（１５０；４５０；６５０，６５５）は、前記第１の電源電圧（Ｖｄｄ；２Ｖｄｄ）に接続された第１の端子と、前記第２の入力信号線（Ａｃｔ＿ｎ）に接続された第２の端子とを有し、
前記第４のスイッチは、前記第２の電源電圧（Ｖｓｓ）に接続された第１の端子と、前記第２の入力信号線（Ａｃｔ＿ｎ）に接続された第２の端子とを有し、
前記複数のスイッチドキャパシタ型電力増幅器セル（２００；４００；６００）の複数の第１の差動キャパシタ（１１０；４１０；６１０）の複数の第２の端子は互いに接続されて、第１の差動出力信号（Ｏｕｔ＿ｐ）を供給し、
前記複数のスイッチドキャパシタ電力増幅器セル（２００；４００；６００）の複数の第２の差動キャパシタ（１２０；４２０；６２０）の複数の第２の端子は互いに接続されて、第２の差動出力信号（Ｏｕｔ＿ｎ）を供給し、
前記各セル（２００；４００；６００）はさらに、
前記第１の入力信号線（Ａｃｔ＿ｐ）の第１のノード（２２０；４２０；６２０）と、前記第２の入力信号線（Ａｃｔ＿ｎ）の第２のノード（２３０；４３０；６３０）との間に接続されたスイッチ信号線を備え、
前記スイッチ信号線は、少なくとも１つの別のスイッチ（２１０；５１０；７１０）を含み、
前記各セル（２００；４００；６００）は、フル振幅モード、半振幅モード、及びオフモードを有し、
前記各セル（２００；４００；６００）は、前記フル振幅モードにおいて、前記第１、第２、第３及び第４のスイッチ（１３０，１４０，１５０，１６０；４３０，４４０，４５０，４６０；６３０，６３５，６４０，６４５，６５０，６５５，６６０，６６５）が所定の無線周波数で切り替えられ、前記別のスイッチ（２１０；５１０；７１０）がオフされ、前記第１及び第４のスイッチ（１３０，１６０；４３０，４６０；６３０，６３５，６６０，６６５）がオンされるときに前記第２及び第３のスイッチ（１４０，１５０；４４０，４５０；６４０，６４５，６５０，６５５）がオフされ、また、前記第１及び第４のスイッチ（１３０，１６０；４３０，４６０；６３０，６３５，６６０，６６５）がオフされるときに第２及び第３のスイッチ（１４０，１５０；４４０，４５０；６４０，６４５，６５０，６５５）がオンされるように構成され、
前記各セル（２００，４００，６００）は、前記半振幅モードにおいて、別のスイッチ（２１０；５１０；７１０）が所定の無線周波数で切り替えられ、前記第１及び第４のスイッチ（１３０，１６０；４３０，４６０；６３０，６３５，６６０，６６５）が所定の無線周波数で切り替えられ、前記第２及び第３のスイッチ（１４０，１５０；４４０，４５０；６４０，６４５，６５０，６５５）がオフされ、前記別のスイッチ（２１０；５１０；７１０）がオンされるときに前記第１及び第４のスイッチ（１３０，１６０；４３０，４６０；６３０，６３５，６６０，６６５）がオフされ、また、前記第１及び第４のスイッチ（１３０，１６０；４３０，４６０；６３０，６３５，６６０，６６５）がオンされるときに前記別のスイッチ（２１０；５１０；７１０）がオフされるように構成される、
スイッチドキャパシタ電力増幅器。
【請求項２】
前記各セル（４００）の少なくとも１つの別のスイッチは、所定の無線周波数で切り替えられるように構成された第１及び第２の別のスイッチ素子（５４０，５５０）を備え、
前記第１及び第２の別のスイッチ素子（５４０，５５０）は並列に接続され、かつ両方ともオン又は両方ともオフのいずれかである、
請求項１に記載のスイッチドキャパシタ電力増幅器。
【請求項３】
前記第１及び第２の別のスイッチ素子（５４０，５５０）は、相補的な複数の入力信号で動作可能なように構成される、請求項２に記載のスイッチドキャパシタ電力増幅器。
【請求項４】
前記各セル（６００）の第１のスイッチは、第１の端子と第２の端子とを有する第１のスイッチ素子（６３０）と、第１の端子と第２の端子とを有する第２のスイッチ素子（６３５）とを備え、
前記各セルの第２のスイッチは、第１の端子と第２の端子とを有する第３のスイッチ素子（６４５）と
第１の端子と第２の端子とを有する第４のスイッチ素子（６４０）とを備え、
前記第１のスイッチ素子（６３０）の第１の端子は第１の電源電圧（２Ｖｄｄ）に接続され、
前記第１のスイッチ素子（６３０）の第２の端子は前記第２のスイッチ素子（６３５）の第１の端子に接続され、
前記第４のスイッチ素子（６４０）の第２の端子は第２の電源電圧（Ｖｓｓ）に接続され、
前記第４のスイッチ素子（６４０）の第１の端子は前記第３のスイッチ素子（６４５）の第２の端子に接続され、
前記第２のスイッチ素子（６３５）の第２の端子と前記第３のスイッチ素子（６４５）の第１の端子とが互いに接続され、
前記第２のスイッチ素子（６３５）及び前記第３のスイッチ素子（６４５）は第３の電源電圧（Ｖｄｄ）に接続され、
前記第３の電源電圧は前記第１の電源電圧よりも低いが、前記第２の電源電圧よりも高い、
請求項１に記載のスイッチドキャパシタ電力増幅器。
【請求項５】
前記各セル（６００）の第３のスイッチは、第１の端子と第２の端子とを有する第５のスイッチ素子（６５０）と、第１の端子と第２の端子とを有する第６のスイッチ素子（６５５）とを備え、
前記第４のスイッチは、第１の端子と第２の端子とを有する第７のスイッチ素子（６６５）と、第１の端子と第２の端子とを有する第８のスイッチ素子（６６０）とを備え、
前記第５のスイッチ素子（６５０）の第１の端子は前記第１の電源電圧（２Ｖｄｄ）に接続され、
前記第５のスイッチ素子（６５０）の第２の端子は前記第６のスイッチ素子（６５５）の第１の端子に接続され、
前記第８のスイッチ素子（６６０）の第２の端子は前記第２の電源電圧（Ｖｓｓ）に接続され、
前記第８のスイッチ素子（６６０）の第１の端子は前記第７のスイッチ素子（６６５）の第２の端子に接続され、
前記第６のスイッチ素子（６５５）の第２の端子と第７のスイッチ素子（６６５）の第１の端子とは互いに接続され、
前記第６のスイッチ素子（６５５）と前記第７のスイッチ素子（６６５）とは前記第３の電源電圧（Ｖｄｄ）に接続され、
前記第３の電源電圧は前記第１の電源電圧（２Ｖｄｄ）よりも低いが、前記第２の電源電圧（Ｖｓｓ）よりも高い、
請求項４に記載のスイッチドキャパシタ電力増幅器。
【請求項６】
前記少なくとも１つの別のスイッチ（７１０）は、第１対のスイッチ（７４０，７４５）及び第２対のスイッチ（７５０，７５５）として構成されて直列に接続された４つのスイッチ素子（７４０，７４５，７５０，７５５）を備え、
前記スイッチ信号線は前記第３の電源電圧において中央ノードを規定する、
請求項５に記載のスイッチドキャパシタ電力増幅器。
【請求項７】
前記第２の電源電圧（Ｖｓｓ）はグランドを備える、
請求項１〜６のいずれか１項に記載のスイッチドキャパシタ電力増幅器。
【請求項８】
複数のスイッチドキャパシタ電力増幅器セル（２００；４００；６００）を有するスイッチドキャパシタ電力増幅器を動作させる方法であって、
前記方法は、前記各セルに対して、
第１の差動コンデンサの第１の端子（１１０；４１０；６１０）を第１の入力信号線（Ａｃｔ＿ｐ）に接続するステップと、
第２の差動コンデンサ（１２０；４２０；６２０）の第１の端子を第２の入力信号線（Ａｃｔ＿ｎ）に接続するステップと、
第１のスイッチ（１３０；４３０；６３０，６３５）の第１の端子を第１の電源電圧（Ｖｄｄ；２Ｖｄｄ）に接続し、前記第１のスイッチ（１３０；４３０；６３０，６３５）の第２の端子を前記第１の入力信号線（Ａｃｔ＿ｐ）に接続するステップと、
第２のスイッチ（１４０；４４０；６４０，６４５）の第１の端子を第２の電源電圧（Ｖｓｓ）に接続し、前記第２のスイッチの第２の端子を前記第１の入力信号線（Ａｃｔ＿ｐ）に接続するステップと、
第３のスイッチ（１５０，４５０，６５０，６５５）の第１の端子を前記第１の電源電圧（Ｖｄｄ；２Ｖｄｄ）に接続し、前記第３のスイッチ（１５０，４５０；６５０，６５５）の第２の端子を前記第２の入力信号線（Ａｃｔ＿ｎ）に接続するステップと
第４のスイッチ（１６０，４６０；６６０，６６５）の第１の端子を前記第２の電源電圧（Ｖｓｓ）に接続し、前記前記第４のスイッチ（１６０，４６０；６６０，６６５）の第２の端子を前記第２の入力信号線（Ａｃｔ＿ｎ）に接続するステップと、
前記複数のスイッチドキャパシタ型電力増幅器セル（２００；４００；６００）の複数の第１の差動キャパシタ（１１０；４１０；６１０）の複数の第２の端子を互いに接続して、第１の差動出力信号（Ｏｕｔ＿ｐ）を供給するステップと、
前記複数のスイッチドキャパシタ電力増幅器セル（２００；４００；６００）の複数の第２の差動キャパシタ（１２０；４２０；６２０）の複数の第２の端子を互いに接続して第２の差動出力信号（Ｏｕｔ＿ｎ）を供給するステップと、
前記第１の入力信号線（Ａｃｔ＿ｐ）における第１のノード（２２０；４２０；６２０）と前記第２の入力信号線（Ａｃｔ＿ｎ）における第２のノード（２３０；４３０；６３０）との間にスイッチ信号線を接続するステップであって、前記スイッチ信号線は、少なくとも１つの別のスイッチ（２１０；５１０；７１０）を含むステップと、
前記各セル（２００；４００；６００）を、フル振幅モード、半振幅モード、及びオフモードで動作させるステップとを含み、
前記各セル（２００；４００；６００）は、前記フル振幅モードにおいて、前記第１、第２、第３及び第４のスイッチ（１３０，１４０，１５０，１６０；４３０，４４０，４５０，４６０；６３０，６３５，６４０，６４５，６５０，６５５，６６０，６６５）が所定の無線周波数で切り替えられ、前記別のスイッチ（２１０；５１０；７１０）がオフされ、前記第１及び第４のスイッチ（１３０，１６０；４３０，４６０；６３０，６３５，６６０，６６５）がオンされるときに前記第２及び第３のスイッチ（１４０，１５０；４４０，４５０；６４０，６４５，６５０，６５５）がオフされ、また、前記第１及び第４のスイッチ（１３０，１６０；４３０，４６０；６３０，６３５，６６０，６６５）がオフされるときに、前記第２及び第３のスイッチ（１４０，１５０；４４０，４５０；６４０，６４５，６５０，６５５）がオンされるように構成され、
前記各セル（２００，４００，６００）は、前記半振幅モードにおいて、別のスイッチ（２１０，５１０，５１０，２１０）がオンされ、前記別のスイッチ（２１０；５１０；７１０）が所定の無線周波数で切り替えられ、前記第１及び第４のスイッチ（１３０，１６０；４３０，４６０；６３０，６３５，６６０，６６５）が所定の無線周波数で切り替えられ、前記第２及び第３のスイッチ（１４０，１５０；４４０，４５０；６４０，６４５，６５０，６５５）がオフされ、前記別のスイッチ（２１０；５１０；７１０）がオンされるときに前記第１及び第４のスイッチ（１３０，１６０；４３０，４６０；６３０，６３５，６６０，６６５）がオフされ、また、前記第１及び第４のスイッチ（１３０，１６０；４３０，４６０；６３０，６３５，６６０，６６５）がオンされるときに前記別のスイッチ（２１０；５１０；７１０）がオフされる、
スイッチドキャパシタ電力増幅器を動作させる方法。